(57)【要約】      （修正有）【課題】空間投影した像に対する操作を検出する非接触入力装置において、検出可能な非接触操作の多様性を高める。【解決手段】非接触入力装置１００は、画像を表示する表示部１１０と、画像の実像を空間投影する空間投影器１３０と、実像１８０が形成される領域を含むように測定範囲が設定され、測定範囲内に存在する物体との距離を測定する距離センサ１４０と、を備える。【選択図】図１
2019149065.tif 000002
【特許請求の範囲】
【請求項１】
画像を表示する表示部と、
前記画像の実像を空間投影する空間投影器と、
前記実像が形成される領域を含むように測定範囲が設定され、前記測定範囲内に存在する物体との距離を測定する距離センサと、
を備えることを特徴とする非接触入力装置。
【請求項２】
前記距離センサの測定結果に応じた応答動作を行なう操作応答部をさらに備えることを特徴とする請求項１に記載の非接触入力装置。
【請求項３】
前記操作応答部は、照明のオンオフを切り換える応答動作を行なうことを特徴とする請求項２に記載の非接触入力装置。
【請求項４】
鏡をさらに備え、
前記表示部と、前記空間投影器と、前記距離センサとが、前記鏡の裏面側に配置され、
前記鏡の表面側に前記実像を形成することを特徴とする請求項１〜３のいずれか１項に記載の非接触入力装置。
【請求項５】
前記鏡は、前記空間投影器と前記実像との間および前記距離センサと前記実像との間を含む領域がハーフミラー加工されていることを特徴とする請求項４に記載の非接触入力装置。
【発明の詳細な説明】
【技術分野】
【０００１】
本発明は、空間投影した像に対する操作を検出する非接触入力装置に関する。
【背景技術】
【０００２】
特許文献１には、空間投影器を用いてディスプレイの画像を空中に像として形成し、像に対する指等の操作を検出する非接触入力装置が記載されている。特許文献１に記載された非接触入力装置３００は、図３に示すように、ディスプレイ３１０の表面に赤外線を検知するシート状の光センサ３１１が設けられ、また、空間投影器３２０による像形成範囲３３０を照らす赤外線の照明器３４０が設けられている。ディスプレイ３１０にキーボード等の画像を表示すると、空間投影器３２０によって像形成範囲３３０にキーボード等の実像が形成される。
【０００３】
像形成範囲３３０内で操作する指等からの赤外線反射光は、空間投影器３２０により、ディスプレイ３１０上に結像する。この位置を光センサ３１１で検出することによりキーボード等のどの位置が操作されたかを認識することができるとされている。
【先行技術文献】
【特許文献】
【０００４】
【特許文献１】特許第５９５７６１１号公報
【発明の概要】
【発明が解決しようとする課題】
【０００５】
特許文献１に記載された非接触入力装置３００は、ディスプレイ３１０上に結像した反射光を検出するため、検出可能な操作は、像形成範囲３３０面上でのタッチ操作に限られる。このため、非接触操作の多様性が十分とはいえず、検出可能な非接触操作の一層の多様性が望まれる。
【０００６】
そこで、本発明は、空間投影した像に対する操作を検出する非接触入力装置において、検出可能な非接触操作の多様性を高めることを目的とする。
【課題を解決するための手段】
【０００７】
上記課題を解決するため、本発明の１態様である非接触入力装置は、画像を表示する表示部と、前記画像の実像を空間投影する空間投影器と、前記実像が形成される領域を含むように測定範囲が設定され、前記測定範囲内に存在する物体との距離を測定する距離センサと、を備えることを特徴とする。
ここで、前記距離センサの測定結果に応じた応答制御を行なう操作応答部をさらに備えていてもよい。
このとき、前記操作応答部は、照明のオンオフ制御を行なうことができる。
また、鏡をさらに備え、前記表示部と、前記空間投影器と、前記距離センサとが、前記鏡の裏面側に配置され、前記鏡の表面側に前記実像を形成するようにしてもよい。
このとき、前記鏡は、前記空間投影器と前記実像との間および前記距離センサと前記実像との間を含む領域がハーフミラー加工されていることが好ましい。
【発明の効果】
【０００８】
本発明によれば、空間投影した像に対する操作を検出する非接触入力装置において、検出可能な非接触操作の多様性を高めることができる。
【図面の簡単な説明】
【０００９】
【図１】本実施形態に係る非接触入力装置の構成を示す図である。
【図２】本実施形態に係る非接触入力装置の変形例を示す図である。
【図３】従来の非接触入力装置の構成を示す図である。
【発明を実施するための形態】
【００１０】
図１は、本実施形態に係る非接触入力装置１００の構成を示す図である。本図に示すように、非接触入力装置１００は、表示部１１０、発光部１２０、空間投影器１３０、距離センサ１４０、操作応答部１５０を備えている。
【００１１】
表示部１１０は、像として形成する画像を表示する。表示部１１０は、スライドのように静的表示を行なうものであってもよいし、液晶表示装置のように動的表示を行なうものであってもよい。発光部１２０は、表示部１１０の画像を投影するための光源であり、ＬＥＤ等を用いることができる。なお、表示部１１０に照射する外光等が十分であったり、表示部１１０自体が発光する場合等には発光部１２０は省いてもよい。
【００１２】
空間投影器１３０は、入射した画像を空中に結象する装置である。例えば、特許文献１に記載されているような、平面視して交差する第１、第２の微小反射面がそれぞれ同一平面上に多数立設して配置され、各第１の微小反射面からの第１の反射光を、対応する第２の微小反射面で受けて第２の反射光とする装置を用いることができる。また、マイクロレンズアレイ等を利用したものであってもよい。
【００１３】
表示部１１０に表示された画像が放つ光線は、空間投影器１３０により、反対側の同じ距離の同じ位置に結象し、実像１８０が形成される。このため、表示部１１０および空間投影器１３０の位置と傾きとが定まることで、実像１８０の結像位置が一意に定まることになる。
【００１４】
距離センサ１４０は、実像１８０が形成される領域を含むように測定範囲が設定されており、測定範囲内に存在する物体との距離を測定する。本実施形態では、距離センサ１４０は、測定範囲が水平方向に延びるように設定されている。ただし、測定範囲が斜め方向に延びるようにしてもよい。距離センサ１４０の測定方式は問わず、例えば、赤外線方式を用いることができる。
【００１５】
操作応答部１５０は、距離センサ１４０の測定結果に応じた応答動作を行なう。操作応答部１５０は、例えば、照明装置とすることができる。この場合、距離センサ１４０の測定結果に応じて照明のオンオフを切り換えることができる。操作応答部１５０は、距離センサ１４０の測定結果に応じて表示部１１０の表示内容を変更するようにしてもよい。
【００１６】
距離センサ１４０と実像１８０との距離Ｌは既知であり、距離センサ１４０の測定範囲が、実像１８０が形成される領域を含むため、測定された物体までの距離が、距離Ｌに近ければ、実像１８０に対する操作であると検知することができる。この場合、検出対象は、実像１８０面上でのタッチ操作に限られないため、検出可能な非接触操作の多様性を複雑な構成を用いることなく高めることができる。
【００１７】
例えば、表示部１１０にスイッチボタンの画像を表示することで、実像１８０としてスイッチボタンが空間投影される。このとき、操作者の実像１８０に対する押下操作等を検出することで、操作応答部１５０は、スイッチボタンのオンオフを切り換える応答動作を行なうことができるようになる。
【００１８】
また、距離センサ１４０を用いていることから、実像１８０に対する奥行方向の操作を検出することができ、例えば、スイッチボタンの押し加減を複数段階で識別することができる。そこで、操作応答部１５０は、スイッチボタンが深く押された場合と、浅く押された場合とで応答制御を変えるようにしてもよい。例えば、スイッチボタンを照明のスイッチボタンとして用い、深く押された場合は明るい照明とし、浅く押された場合は薄暗い照明とすることができる。これにより、検出可能な非接触操作の多様性を一層高めることができる。
【００１９】
あるいは、実像１８０に手を近づけるに従って照明が明るくなるようにし、実像１８０から手が離れるに従って照明が暗くなるようにするような応答動作も可能である。
【００２０】
また、距離センサ１４０の測定範囲を遠距離まで広げることで、操作者が遠くから近づいていることを検知し、所定の距離まで近づいた場合に、表示部１１０に実像１８０を表示させて、実像１８０に対する操作を検出するようにしてもよい。
【００２１】
さらに、ある画像の実像１８０に対する操作を受け付けた後に、次の操作を受け付けるための別の画像の表示部１１０に表示させるようにしてもよいし、操作を受け付けたことを示すために、表示させる画像を変更するようにしてもよい。例えば、オフ状態を示す画像の実像１８０が操作を受け付けると、オン状態を示す画像の実像１８０に切り換える等である。
【００２２】
ところで、本実施形態の非接触入力装置１００は、本図に示すように、鏡２００の裏面側に配置している。ここで、鏡２００は、ガラス等の透明板２０１の一方の面に反射膜２０２を形成し、さらに、不透明保護膜２０３を形成して構成されており、透明板２０１側、すなわち、鏡像を見ることができる側を表面とする。そして、鏡２００の表面側に実像１８０が結象するようにしている。
【００２３】
このとき、空間投影器１３０からの光、距離センサ１４０の出射信号、物体からの反射信号を透過させるために、鏡２００の一部の領域を、不透明保護膜２０３を欠いたハーフミラー２１０としている。ハーフミラー２１０の領域は、空間投影器１３０からの光、距離センサ１４０の出射信号、物体からの反射信号を透過させるために必要最小限の大きさとすることが好ましい。不透明保護膜２０３を欠いた領域に透明保護膜を形成してもよい。
【００２４】
また、反射膜２０２によって距離センサ１４０の測定精度が低下することを防ぐために、距離センサ１４０と反射膜２０２とを密着させるとともに、距離センサ１４０の出射光口と受光口とを仕切り等で分離することが好ましい。
【００２５】
また、図２に示すように、空間投影器１３０からの光、距離センサ１４０の出射信号、物体からの反射信号を透過させるため鏡２００の一部の領域を、反射膜２０２および不透明保護膜２０３を欠いた透明面領域２１１としてもよい。これにより、距離センサ１４０の出射信号、物体からの反射信号を一層透過させることが可能となる。
【００２６】
このように、非接触入力装置１００を鏡２００の裏面側に配置することで、鏡２００を見る者から非接触入力装置１００を認識することなく、実像１８０が鏡２００から浮き上がって見えることになり、実像表示における演出効果やデザイン性を高めることができる。
【符号の説明】
【００２７】
１００  非接触入力装置
１１０  表示部
１２０  発光部
１３０  空間投影器
１４０  距離センサ
１５０  操作応答部
１８０  実像
２００  鏡
２０１  透明板
２０２  反射膜
２０３  不透明保護膜
２１０  ハーフミラー
【図１】
2019149065.tif 000003
【図２】
2019149065.tif 000004
【図３】
2019149065.tif 000005